(57)【特許請求の範囲】
【請求項１】
ａ．日付及び／又は曜日を示す時期書式が記載された計画欄と、介護の等級が記載された等級欄とを有する基本パターンが記載された基本シートと、
ｂ．前記計画欄と同一の大きさに区画されたサービス予定表示部と、前記サービス予定表示部のサービスが実施される時刻及び曜日に該当する箇所に表示されたサービス実施予定部と、介護サービスの計画に応じた月額や週額の基本価格が記載された表示価格欄と、を有する要素パターンが表面に記載され要介護者の必要とするサービス項目毎に作成された透明な要素シートと、
を有することを特徴とする週間介護サービス計画表作成具。
【請求項２】
前記基本シートの表面に前記要素シートの１以上を重ね合わせた際に、少なくとも前記計画欄と前記サービス予定表示部とを付合させて保持する保持手段を有することを特徴とする請求項１に記載の週間介護サービス計画表作成具。
【請求項３】
前記保持手段は、全面が透明な前面壁を有し、前記基本シートと前記要素シートとを収納するケース、または、透明シートと、台部と、前記透明シートと前記台部との間に前記基本シートと前記要素シートとを挟持する挟持部とを有するシート挟持具であることを特徴とする請求項２に記載の週間介護サービス計画表作成具。
【請求項４】
前記要素シートは各々の周面のいずれか一面にサービス別毎に形成されたタグを有することを特徴とする請求項１又は２に記載の週間介護サービス計画表作成具。
【請求項５】
前記要素シートが視覚濃度が０．７５〜０．９５の透明体シートから成ることを特徴とする請求項１乃至４の内いずれか１に記載の週間介護サービス計画表作成具。
【発明の詳細な説明】
【０００１】
【発明の属する技術分野】
本発明は、１週間単位で介護サービス等のサービスの計画表を作成する週間介護サービス計画表作成具に関する。
【０００２】
【従来の技術】
近年、高齢化社会を迎え、高齢者の介護のあり方が種々検討されている。その一環として介護保険法が制定され、ケアマネージャーの制度が新しく設けられている。要介護者の要介護状態に応じて、ケアのプランの作成がされ、介護の充実が図られている。
以下に従来の週間介護サービス計画表作成具について説明する。
図１１は従来の週間介護サービス計画表を示す平面図である。
この週間介護サービス計画表は、たとえばシルバーウエル・ビジネス（SILVERWEL BUSINESS）の１９９８年９月号の５４頁に記載されたものである。従来の週間介護サービス計画表は、午前、午後、曜日等が記載された計画用紙に手書きでサービス内容を記載することにより作成されていた。
【０００３】
【発明が解決しようとする課題】
このように、従来の週間介護サービス計画表はサービス項目毎に計画用紙に手書きで記載する必要があり、多大の時間を要し、またサービス項目の変更が容易でないという問題点を有していた。また、週間介護サービス計画表が完成しても、その介護に必要な費用の計算が容易でないという問題点を有していた。
この週間介護サービス計画表作成具では、週間介護サービス計画表の作成が容易で、必要費用の計算が容易なことが要求されている。
【０００４】
本発明は従来の課題を解決するもので、週間介護サービス計画表を容易に作成することができるとともに、介護計画の変更にも簡単に対応でき、また作成した週間介護サービス計画表に基づいて必要費用を容易に計算することができる週間介護サービス計画表作成具を提供することを目的とする。
【０００５】
上記課題を解決するために本発明の週間介護サービス計画表作成具は、日付及び／又は曜日を示す時期書式が記載された計画欄と介護の等級が記載された等級欄とを有する基本パターンが記載された基本シートと、計画欄と同一の大きさに区画されたサービス予定表示部とサービス予定表示部のサービスが実施される時刻及び曜日に該当する箇所に表示されたサービス実施予定部と介護サービスの計画に応じた月額や週額の基本価格が記載された表示価格欄とを有する要素パターンが表面に記載され要介護者の必要とするサービス項目毎に作成された透明な要素シートと、を有する構成を備えている。
これにより、週間介護サービス計画表を容易に作成することができるとともに、必要経費の計算が容易な週間介護サービス計画表作成具が得られる。
【０００６】
本発明の請求項１に記載の週間介護サービス計画表作成具は、日付及び／又は曜日を示す時期書式が記載された計画欄と介護の等級が記載された等級欄とを有する基本パターンが記載された基本シートと、計画欄と同一の大きさに区画されたサービス予定表示部とサービス予定表示部のサービスが実施される時刻及び曜日に該当する箇所に表示されたサービス実施予定部と介護サービスの計画に応じた月額や週額の基本価格が記載された表示価格欄とを有する要素パターンが表面に記載され要介護者の必要とするサービス項目毎に作成された透明な要素シートとを有することとしたものである。
この構成により、以下の作用が得られる。
ａ．基本シート上に必要な要素シートを重ねるだけで週間介護サービス計画表を作成することができる。
ｂ．基本シートに要素シートを重ねて得られた週間介護サービス計画表をコピー機によりコピーすることができ、介護者と管理者とが別々に計画表を所持できるので、各介護者は各自計画表に従って介護を実行できるとともに、管理者は複数の介護者の介護状況を把握することができる。
ｃ．介護計画作成者（介護者）は、現場にコンピュータを持ち込まなくても、介護計画作成表を持ち込むだけで、介護計画を作成することができる。
ｄ．要介護者も、介護計画と必要経費を簡単に把握することができる。ここで、介護サービスとしては、例えば介護者の在宅看護（訪問看護）や施設への通院（通所）などがある。
ｅ．複数の要素シートを基本シートに重ねさえすれば、必要なサービス項目が記載されている週間介護サービス計画表を作成することができる。
ｆ．単価を加算しさえすれば、所定期間の料金を算出することができる。また、サービス内容の変更が容易であり、サービス内容が変更されたときの価格計算も容易である。
ここで、介護サービスとしては、例えば介護者の在宅看護（訪問看護）や施設への通院（通所）などがある。
時刻欄には、例えば午前４時から午前４時までの２４時間の時刻が記載される。
【０００７】
本発明の請求項２に記載の週間介護サービス計画表作成具は、請求項１において、前記基本シートの表面に前記要素シートの１以上を重ね合わせた際に、少なくとも前記計画欄と前記サービス予定表示部とを付合させて保持する保持手段を有することとしたものである。
この構成により、請求項１で得られる作用の他、次の作用が得られる。
ａ．要介護者の必要とするサービス毎に、その要素シートを基本シートの表面に重ね合わせるだけで、計画欄とサービス予定表示部が付き合わされるので、あたかも一枚の紙に書いたようにサービスの内容と、予定が一目で理解できる。
ｂ．サービスの内容が変わっても、要素シートを保持手段に差し換えるだけで、介護計画を作成できる。
ｃ．基本シートと要素シートが保持されているので、容易に複写機でコピーを取ることができる。
【０００９】
本発明の請求項３に記載の週間介護サービス計画表作成具は、請求項２に記載の週間介護サービス計画表作成具において、保持手段は、全面が透明な前面壁を有し、基本シートと要素シートとを収納するケース、または、透明シートと、台部と、透明シートと台部との間に基本シートと要素シートを挟持する挟持部とを有する構成としたものである。
この構成により、請求項２で得られる作用の他、以下の作用を有する。
ａ．基本シートと要素シートとはケースまたはシート挟持具により固定され、視覚による計画内容、価格等の読取りが容易になり、複写が容易になる。
ｂ．行政書式に合わせて複写すれば、介護サービス計画として、行政機関に提出することが可能である。
ここで、ケースまたは透明シートの材質としては、ポリスチレン，ポリエチレン，ポリプロピレン，ポリアクリロニトリル，ポリカーボネート，ポリアミド等の透明で機械的強度に優れた合成樹脂や複合ガラス等が用いられる。また、挟持部としては、ケースに一体に形成され、基本シートから前面壁にシートを押圧するバネ体や、クリップ、バインダー等既存の挟持具が用いられる。また、ケースの収納部をシートの大きさに形成し、厚みを薄くし、バック用紙で押圧する形式にしてもよい。
【００１０】
本発明の請求項４に記載の週間介護サービス計画表作成具は、請求項１又は２に記載の週間介護サービス計画表作成具において、要素シートはそれぞれ周面のいずれか一面にサービス別毎に形成されたタグを有することとしたものである。
この構成により、請求項１又は２で得られる作用の他、以下の作用を有する。
ａ．多数の要素シートが保持手段に収納された場合であっても、その内容を一覧して容易に把握することができる。
ｂ．タグを有しているので、多種類の要素シートも簡単に整理ができる。
【００１１】
本発明の請求項５に記載の週間介護サービス計画表作成具は、請求項１乃至４の内いずれか１に記載の週間介護サービス計画表作成具において、要素シートが視覚濃度が０．７５〜０．９５の透明体シートから成ることとしたものである。
この構成により、請求項１乃至４の内いずれか１項で得られる作用の他、以下の作用を有する。
要素シートが視覚濃度が０．７５〜０．９５の透明体シートで形成されているので、要素シートを１０枚前後重ねても（重積しても）、週間介護サービスを視覚で確認できるとともに、複写機で計画表を複写できる。
ここで、透明体シートの素材としては、ポリエステル、ポリエチレン、ＰＥＴ（ポリエチレンテレフタレート）、ポリプロピレン、ポリフッ化ビニリデン（ＰＶＤＦ）、ポリスチレン（ＰＳ）、ポリメチルメタクリレート（ＰＭＭＡ）、ポリプロピレン（ＰＰ）、ポリカーボネート（ＰＣ）、塩化ビニル等が用いられる。尚、これらの素材からなるＯＨＰシートを用いてもよい。
【００１２】
以下、本発明の実施の形態について、図１〜図１０を用いて説明する
（実施の形態１）
図１は本発明の実施の形態１における週間介護サービス計画表作成具の基本シートの平面図であり、図２は本発明の実施の形態１における訪問看護用の要素シートの平面図であり、図３は本発明の実施の形態１における通所用の要素シートの平面図であり、図４は本発明の実施の形態１における車椅子レンタル用の要素シートの平面図である。
【００１３】
図１において、１は合成樹脂シートや台紙、肉薄の金属板で形成された大きさがＡ４またはＢ５の基本シート、２は基本シート１の左上隅から下側及び右側に所定幅をあけて区画形成された計画書欄、３は計画書欄２のタイトル欄及びサービス利用者名欄の下方に形成された介護サービスの曜日と時間帯・時刻を表示する計画欄、４は計画欄３の縦側に形成された時間帯と時刻を表示した時刻欄、５は曜日毎に区画された曜日欄であり、計画欄３は時刻欄４の時刻毎に形成された横線と直交する曜日欄５の縦線で区画されている。６は計画欄３の右上に要介護の度数と該度数に応じたサービス内容（例、リハビリテーションの加算や車椅子貸与、デイサービス、デイケア等の要介護者がサービス施設に通う形態のサービス（以下、「通所」という）、要介護者の居所に訪問して介護を行う訪問看護）と月額の価格等を表示する月額基本価格欄、７は要介護者が一週間内で受けるサービス内容とその価格を表示する週額基本価格欄である。
【００１４】
図２において、１０は要介護者が訪問看護を要する際に基本シート１に貼り合わせ（以下、重積という）して使用される訪問看護用の要素シートである。要素シート１０は基本シート１と同じ大きさのＯＨＰ用透明体シート等の透明なシートで形成されている。１１は基本シート１の計画書欄２と同一の位置で同一の大きさに形成されたサービス予定表示部、１２はサービス予定表示部１１にベタか網状、格子状等で表示されたサービス実施予定部である。サービス実施予定部１２は基本シート１上に要素シート１０を重積したときに基本シート１の計画欄３の時刻欄４と曜日欄５で形成される升目に嵌合される位置及び大きさに形成されている。１３は要素シート１０の上縁部の所定部に本要素シート１０が訪問看護用の要素シートであることを表示する台形状や半円状、矩形状に形成されたタグ、６ａ、７ａは基本シート１の月額基本価格欄６及び週額基本価格欄７と付合される訪問看護等サービス毎の月額を表示するサービス月額基本価格欄及びサービス週額基本価格欄である。
【００１５】
図３において、１０ａは要介護者が通院して介護を要する際に、基本シート１に重積して使用される通所用の要素シートである。６ａ、７ａは通所介護を受けるときのサービス全額を表示したサービス月額基本価格欄及びサービス週額基本価格欄、１２ａは通所サービスが実施される時刻及び曜日に該当する箇所に表示されたサービス実施予定部、１３ａは要素シート１０ａの上縁部に他のサービスのタグと重ならない所定の位置に形成された通所サービスを表すタグであり、その他の構成は要素シート１０と同様に形成されている。
図４において、１０ｂは要介護者が車椅子を月掛けでレンタルを受ける際に、基本シート１に重積して使用される車椅子レンタル用の要素シート、１３ｂは要素シート１０ｂの上縁部に他のタグと重ならない所定部に形成されたタグである。６ａはサービス月額基本価格欄、７ａはサービス週額基本価格欄、１１はサービス予定表示部であり、更にその他の構成は要素シート１０と同様に形成されている。
【００１６】
以上のように構成された本実施の形態による週間介護サービス計画表作成具について、以下その使用方法を図面を用いて説明する。
図５は本発明の実施の形態１による週間介護サービス計画表作成具を示す斜視図であり、図６は本実施の形態における週間介護サービス計画表の作成過程を示すフローチャート、図７乃至図９は本実施の形態の基本シートに重積して作成された週間介護サービス計画の平面図である。
【００１７】
図５において、２０は基本シートと要介護者毎に使用される要素シートが左右方向に隙間無く内部に収納されるシート収納ケース、２２はＰＳやＰＥ、ＰＰ、ＰＣ等の透過度の優れた合成樹脂シートから成るシート収納ケース２０の前面部、２３はシート収納ケース２０の一側面に延設され開口部を覆設する蓋、１は表面又は裏面に基本パターンが記載されシート収納ケース２０の最後部に収納された基本シート、１０，１０ａ，１０ｂは表面又は裏面に各々サービス内容毎に要素パターンが記載され基本シート１の表面に各々重積されてシート収納ケース２０に収納された透過度の優れた合成樹脂シートで形成された複数の要素シートである。
シート収納ケース２０は少なくとも前面部２２が透明となっており、透明部分には例えばポリアクリレート等の硬い合成樹脂が使用されている。
【００１８】
週間介護サービス計画を立てるにあたり、図６において、まず要介護度を決定する（Ｓ１）。要介護度は１日あたりの要介護時間に応じて、要支援・要介護度１〜５の６段階に区分されており、要介護度に応じて給付金額が定まる。例えば要支援は要介護認定基準で示される時間が３０分未満ではあるが間接生活介助ならびに機能訓練関連に一定以上の時間を要するものであり、要介護度１は要介護時間が３０分以上６５分未満のもの、要介護度２は要介護時間が６５分以上１００分未満のもの、要介護度３は要介護時間が１００分以上１３５分未満のもの、要介護度４は要介護時間が１３５分以上１７０分未満のもの、要介護度５は要介護時間が１７０分以上のものである。給付金額は例えば要介護度４の場合には月額２５万円である。
【００１９】
次に、本人の支払い限度額を決定する（Ｓ２）。これは給付金額の１割負担と介護保険外で支払い可能な額とを考慮して決定される。例えば本人の支払い可能額が５万円であるとすると、２５万円の１割負担が２万５千円で、介護保険外で支払い可能な額が２万５千円となる。従って、本人の支払い限度額は２７万５千円となる。
【００２０】
次に、基本シート１をシート収納ケース２０に収納する（Ｓ３）。
次に、要素シート１０としてまず月間単位のサービス項目を選択する（Ｓ４）。サービスは通常は週間単位であるが、訪問歯科診療、車椅子等の福祉用具レンタル等のいくつかのものが月間単位となる。ここでは、図４に示す車椅子レンタルを月間単位のサービス項目として選択して表示した。図４には月間金額として３００００円が記載されている。図４に示す要素シート１０ｂは前述したように透明体であり、文字、線の部分が有彩色または黒で記載されている。なお、図４の右欄の“１０１”の数字は車椅子レンタルを示すインデックス番号である。
【００２１】
次に、週単位のサービス項目（つまり週単位のサービスがパターン化して記載された要素シート）を選択する（Ｓ５）。ここでは、図２に示す訪問看護２（訪問看護を週２回平日に行うサービス）のサービス項目と、図３に示す通所平日３（デイケアサービスを週３回平日に行うサービス、通所３）のサービス項目と、訪問看護２（訪問看護を週２回土曜および日曜に行うサービス）のサービス項目とを選択する。図２には平日の訪問看護２の料金が記載され、週間金額として１２０００円が、月間金額として５４０００円が記載されている。また図３には通所３の料金が記載され、例えば要介護度４に対応する部分には週間金額２２５００円と月間金額１０１２５０円が、リハ加算に対応する部分には週間金額６０００円と月間金額２７０００円が記載されている。なお、図２の訪問看護２の上の数字“３２”および図３の下欄７ａの通所３の上の数字“１３”は通所３および訪問看護２を示すインデックス番号である。
【００２２】
図７は、図３の通所３と図４の車椅子レンタルとを基本シート１に重ねた場合を示し、図８は、図２の訪問看護２と図３の通所３と図４の車椅子レンタルとを基本シート１に重ねた場合を示す。さらに、図９は図８に、土日の訪問看護２（要素シート１０ｄに対応）を追加した場合を示す。図８、図９には、サービス項目に対応する基本価格が週間、月間単位で記載されている。なお、１カ月の費用は、１年間を平均して１カ月が約４．５週であることから、１週の費用の４．５倍としている。
【００２３】
図９を用いて全サービス項目の１カ月の総額（月総額）を算出する（Ｓ６）。月総額は次のようになる。すなわち、車椅子レンタルの費用が３００００円、通所３の費用が１０１２５０円、通所３に必要なリハ加算の費用が２７０００円、訪問看護２の費用が５４０００円＋５４０００円＝１０８０００円であるから、３００００＋１０１２５０＋２７０００＋１０８０００＝２６６２５０（円）となる。
【００２４】
次に、月総額が限度額を超過したか否かを判断する（Ｓ７）。本人の支払い限度額は２７５０００円で、月総額は２６６２５０円であるので、超過していないと判断し、次に、要素パターン（要素シート１０，１０ａ，１０ｂに記載されたパターン）を交換する必要があるか否かを判断する（Ｓ８）。必要があれば、ステップ５に戻り、再びパターンの選択、月総額の算出を行う。要素パターン交換の必要がなければ週間介護サービス計画表は完成したことになる（Ｓ９）。
このように図６の手順によれば、週間介護サービス計画表のサービス項目を容易に変更、追加、削除することができるので、医学的知識、家族能力、高齢者の経済力に応じた介護サービス計画を効率的に立てることができる。
【００２５】
ここで、要素シート１０としての透明体シートの視覚濃度Ｄについて説明する。視覚濃度Ｄは複写可能な要素シート１０の枚数を判断するためのものであり、Ｔを要素シート１０の透過度、ｎを要素シート１０の枚数とすれば、次式（１）で表される。
Ｄ＝ｌｏｇ（１／Ｔn ）・・・・（１）
厚さが１００μｍ±１０μｍのポリプロピレンシートを準備した。（表１）は要素シート１０の透過度が０．８５の場合を示し、（表２）は要素シート１０の透過度が０．９の場合を示す。
【００２６】
なお、本実施の形態ではコンピュータは使用していないが、ＯＭＲ、ＯＣＲ等を用いて週間介護サービス計画表の月額の数値およびインデックス番号をコンピュータに取り込んで、コンピュータ内で処理することも可能である。また、図１〜図４、図７〜図９に示したサービスは例として示したものであり、地域にある介護サービスのみをファイルすれば、地域毎のカスタマイズ（特注化）を図ることができる。
【００２７】
以上のように本実施の形態では、日付及び／又は曜日を示す時期書式が記載された計画欄３と介護の等級が記載された等級欄６、７とを有する基本パターンが記載された基本シート１と、介護サービスの表示印が付されたサービス予定表示部１１と介護サービスの計画に応じた月額や週額の基本価格が記載された表示価格欄６ａ、７ａとを有する要素パターンが表面に記載された透明な要素シート１０，１０ａ，１０ｂと、基本シート１の表面に要素シート１０，１０ａ，１０ｂの１以上を重ね合わせた際に、少なくとも計画欄３とサービス予定表示部１１とを付合させて保持する保持手段２０とを設けたことにより、基本シート１上に必要な要素シート１０，１０ａ，１０ｂを重ねるだけで週間介護サービス計画表を作成することができ、基本シート１に要素シート１０，１０ａ，１０ｂを重ねて得られた週間介護サービス計画表をコピー機によりコピーすることができ、介護者と管理者とが別々に計画表を所持できるので、各介護者は各自計画表に従って介護を実行できるとともに、管理者は複数の介護者の介護状況を把握することができる。
【００２８】
また、基本シート１は、時刻欄４および曜日欄５毎に区分けした時期書式が記載された計画欄３と、要介護度やリハビリテーションを記載した等級欄６、７とを有し、要素シート要素シート１０，１０ａ，１０ｂは、要介護者の必要とするサービス項目毎に作成され且つ計画欄３と同一の大きさに区画されたサービス予定表示部１１と、介護サービス内容と介護サービス内容の単価を記載した表示価格欄６ａ、７ａとを有することにより、複数の要素シート要素シート１０，１０ａ，１０ｂを基本シート１に重ねさえすれば、必要なサービス項目が記載されている週間介護サービス計画表を作成することができる。また、単価を加算しさえすれば、週間、月間の料金を算出することができる。
【００２９】
さらに、保持手段として、全面が透明な前面壁２２を有し、基本シート１と要素シート要素シート１０，１０ａ，１０ｂとを収納するシート収納ケース２０を設けたことにより、基本シート１と要素シート１０，１０ａ，１０ｂとをケースにより固定し、視覚による計画内容、価格等の読取りを容易にし、また複写を容易にすることができる。
さらに、要素シート要素シート１０，１０ａ，１０ｂはそれぞれ周面のいずれか一面にサービス別毎に形成されたタグ１３を有することにより、多数の要素シートが保持手段に収納された場合であっても、その内容を一覧して容易に把握することができる。
さらに、要素シート要素シート１０，１０ａ，１０ｂとしてＯＨＰ用等の透明体シートを使用することにより、必要な透明度を有する要素シートを容易に得ることができる。
【００３０】
（実施の形態２）
図１０は本発明の実施の形態２における週間介護サービス計画表作成具に使用されるシート収納容器を示す斜視図である。
図１０において、５０は合成樹脂製で前面部が開閉自在なケース、５１は透明な合成樹脂で形成された前面部、５２は前面部５１の両側部に形成された基本シート１、要素シート１０を収めるための台部としての爪部、５３は前面部５１に連設された側壁部、５４は側壁部５３の内側に形成された突起部、５５は後面部、５６は後面部５５に連設された側壁部、５７は側壁部５６を貫通する孔部、５８は前面部５１と前面部５１の下部に連設された高さの低い背面壁部とで形成されたシート収納部である。前面部５１と爪部５２とシート収納部５８とで挟持部を構成し、基本シート１、要素シート１０は前面部５１と４つの爪部５１とシート収納部５８との間に収納される。
【００３１】
以上のように本実施の形態では、前面部５１と爪部５２とシート収納部５８とで形成された挟持部に基本シート１と要素シート１０とを挟持しただけで、基本シート１と要素シート１０とを重積して固定し、視覚による計画内容、価格等の読取りを容易にし、複写を容易にすることができる。
【００３２】
以上のように本発明の週間介護サービス計画表作成具によれば、以下の優れた効果を実現できる。
請求項１に記載の週間介護サービス計画表作成具によれば、
ａ．日付及び／又は曜日を示す時期書式が記載された計画欄と介護の等級が記載された等級欄とを有する基本パターンが記載された基本シートと、計画欄と同一の大きさに区画されたサービス予定表示部とサービス予定表示部のサービスが実施される時刻及び曜日に該当する箇所に表示されたサービス実施予定部と介護サービスの計画に応じた月額や週額の基本価格が記載された表示価格欄とを有する要素パターンが表面に記載され要介護者の必要とするサービス項目毎に作成された透明な要素シートと、を有するので、基本シート上に必要な要素シートを重ねるだけで簡単に週間介護サービス計画表を作成することができる。
ｂ．基本シートに要素シートを重ねて得られた週間介護サービス計画表をコピー機によりコピーすることができ、介護者と管理者とが別々に計画表を所持できるので、各介護者は各自計画表に従って介護を実行できるとともに、管理者は複数の介護者の介護状況を把握することができる。
ｃ．介護計画作成者は、現場にコンピュータを持ち込まなくても、介護計画作成表を持ち込むだけで、介護計画を作成することができ、さらに、要介護者も、介護計画作成過程を簡単に理解することができる。
ｄ．要介護者も、その場で介護計画と必要経費を簡単に把握することができる。
ｅ．複数の要素シートを基本シートに重ねるだけで、必要なサービス項目が網羅されている週間介護サービス計画表を短時間に作成することができる。
ｆ．単価を加算しさえすれば、所定期間の料金を算出することができる。また、サービス内容の変更が容易であり、サービス内容が変更されたときの価格計算も容易である。
【００３３】
請求項２に記載の週間介護サービス計画表作成具によれば、請求項１に記載の発明に加えて、
ａ．複数の要素シートを基本シートに重ねさえすれば、必要なサービス項目が記載されている週間介護サービス計画表を作成することができ、計画作成の作業性を著しく向上させることができる。
ｂ．単価を加算しさえすれば、サービスと期間に応じた料金を簡単に算出することができる。介護者や介護者の家族の納得を得ながら最適のサービスを提供できる。
ｃ．サービス内容の変更が現場で容易にでき、サービス内容が変更されたときの価格計算も容易である。
ｄ．視覚による計画内容、価格等の読取りが容易で、複写も簡単にでき、行政書式に合わせて複写すれば、介護サービス計画として、行政機関に提出することが可能である。
【００３５】
請求項３に記載の週間介護サービス計画表作成具によれば、請求項２に記載の発明に加えて、
ａ．基本シートと要素シートとはケースまたはシート挟持具により固定され、視覚による計画内容、価格等の読取りが容易になり、複写が容易になる。
ｂ．行政書式に合わせて複写すれば、介護サービス計画として、行政機関に提出することが可能である。
【００３６】
請求項４に記載の週間介護サービス計画表作成具によれば、請求項１又は２に記載の発明に加えて、
ａ．多数の要素シートが保持手段に収納された場合であっても、その内容を一覧して容易に把握することができ利便性に優れる。
ｂ．タグを有しているので、多種類の要素シートも簡単に整理ができ作業性に優れる。
【００３７】
請求項５に記載の週間介護サービス計画表作成具によれば、請求項１乃至４のいずれか１に記載の発明に加えて、
ａ．要素シートを１０枚前後重ねても（重積しても）、週間介護サービスを視覚で確認できるとともに、複写機で計画表を高い複写制度で複写できる。
【図面の簡単な説明】
【図１】本発明の実施の形態１における週間介護サービス計画表作成具の基本シートの平面図
【図２】本発明の実施の形態１における訪問看護用の要素シートの平面図
【図３】本発明の実施の形態１における通所用の要素シートの平面図
【図４】本発明の実施の形態１における車椅子レンタル用の要素シートの平面図
【図５】本発明の実施の形態１による週間介護サービス計画表作成具を示す斜視図
【図６】本発明の実施の形態１における週間介護サービス計画表の作成過程を示すフローチャート
【図７】本発明の実施の形態１の基本シートに重積して作成された週間介護サービス計画の平面図
【図８】本発明の実施の形態１の基本シートに重積して作成された週間介護サービス計画の平面図
【図９】本発明の実施の形態１の基本シートに重積して作成された週間介護サービス計画の平面図
【図１０】本発明の実施の形態２における週間介護サービス計画表作成具に使用されるシート収納容器を示す斜視図
【図１１】従来の訪問型の週間介護サービス計画表を示す平面図
【符号の説明】
１  基本シート
２  計画書欄
３  計画欄
４  時刻欄
５  曜日欄
６  月額基本価格欄
６ａ  サービス月額基本価格欄
７  週額基本価格欄
７ａサービス週額基本価格欄
１０、１０ａ、１０ｂ  要素シート
１１  サービス予定表示部
１２  サービス実施予定部
１３、１３ａ、１３ｂ  タグである。
２０  シート収納ケース
２２  前面部
２３  蓋
５０  ＣＤ相似型ケース
５１  爪部（台部）
５２  前面部
５３、５６  側壁部
５４  突起部
５５  後面部
５７  孔部
【図１】
0004094153.tif 000002
【図２】
0004094153.tif 000003
【図３】
0004094153.tif 000004
【図４】
0004094153.tif 000005
【図５】
0004094153.tif 000006
【図６】
0004094153.tif 000007
【図７】
0004094153.tif 000008
【図８】
0004094153.tif 000009
【図９】
0004094153.tif 000010
【図１０】
0004094153.tif 000011
【図１１】
0004094153.tif 000012